(57)【要約】【課題】  モジュールボックスを可動式トレイに取り付ける形態でありながら、モジュールの実装効率を高くすることができ、また、光コードの接続を切り換える際の作業性にも優れたモジュール搭載型ラックパネルを得る。【解決手段】  収納ラック本体の前面側に引き出し可能な可動式トレイ５１に取り付けるモジュールボックス４２は、前面及び一側面４２ｂにのみ光コード３７，３８と接続する導出入用の複数個のコネクタアダプタ６７を配備し、且つ、可動式トレイ５１上の前面側及び後面側及び一側面４２ｂ側の３方に光コード３７，３８の布設スペースを確保するべく、モジュールボックス４２の他側面を可動式トレイ５１の対応する側縁に寄せて、可動式トレイ５１に取り付けられる。【選択図】        図１
2005338618.tif 000002
【特許請求の範囲】
【請求項１】
収納ラック本体の前面側に引き出し可能な可動式トレイと、前記可動式トレイに取り付けられ光コードと接続するモジュール（光通信用機器）を収容したモジュールボックスとを備えたモジュール搭載型ラックパネルであって、
前記モジュールボックスは、前面及び一側面にのみ前記光コードと接続する導出入用の複数個のコネクタアダプタを配備したことを特徴とするモジュール搭載型ラックパネル。
【請求項２】
前記モジュールボックスの前面に配備されるコネクタアダプタ相互は光コードの接続切り換えが容易なように配列ピッチを大きく設定し、前記モジュールボックスの一側面に配備されるコネクタアダプタ相互は配列ピッチを前記モジュールボックスの前面側の配列ピッチよりも小さく設定したことを特徴とする請求項１に記載のモジュール搭載型ラックパネル。
【請求項３】
前記モジュールボックスは、前記可動式トレイ上の前面側及び後面側及び一側面側の３方に光コードの布設スペースを確保するべく、他側面を前記可動式トレイの対応する側縁に寄せて、可動式トレイに取り付けたことを特徴とする請求項１又は２に記載のモジュール搭載型ラックパネル。
【請求項４】
前記可動式トレイ上で、前記モジュールボックスの前面側に確保された光コードの布設スペースと前記モジュールボックスの一側面側に確保された光コードの布設スペースとが交差する一角のスペースを、前記モジュールボックスの前面のコネクタアダプタに接続する光コードのコード余長収納部としたことを特徴とする請求項３に記載のモジュール搭載型ラックパネル。
【請求項５】
前記モジュールボックスに収容されるモジュールが、光スプリッタであることを特徴とする請求項３又は４に記載のモジュール搭載型ラックパネル。
【発明の詳細な説明】
【技術分野】
【０００１】
本発明は、収納ラック本体の前面側に引き出し可能な可動式トレイ上に、モジュール（光通信用機器）を収容したモジュールボックスを取り付けたモジュール搭載型ラックパネルに関する。
【背景技術】
【０００２】
光通信の基地局等において、例えば、加入者から基地局に導入された外部光コードと局内のモジュール（光通信用機器）との接続構造として、ＥＩＡ規格、ＪＩＳ規格等に準拠して取付穴等が装備された収納ラック本体に該収納ラック本体の前面側に引き出し可能な可動式トレイを備え、局側の光コードと外部光コードとを繋ぐモジュール（光通信用機器）を可動式トレイに設置してラックパネルを構築する方法が提案されている。
【０００３】
従来、この種のラックパネルでは、モジュールは対向する両側面のそれぞれに導出入用の光コードを接続するコネクタアダプタを装備し、このモジュールを可動式トレイの略中央に配置する。その場合に、モジュールの取り付け向きは、両側面のコネクタアダプタが可動式トレイの両側に臨む向きとし、モジュールの４方に空いたスペース、特に、可動式トレイの引き出し方向と直交する両側に空いたスペースを各光コードの布設スペースやコード余長収納部として利用することが一般的であった（例えば、特許文献１参照）。
【０００４】
【特許文献１】特開２０００−２３２２７３号公報
【発明の開示】
【発明が解決しようとする課題】
【０００５】
ところで、ラックパネル上での高密度実装化に伴い、可動式トレイ上に複数組のモジュールを配置する場合のモジュールと光コードとの接続作業性の向上、可動式トレイの出し入れ操作時に各モジュールに光コードが引っ掛かって相互間に破損が発生することのないようにする等の観点から、複数組のモジュールを所定の大きさの筐体（モジュールボックス）に収容した単一のユニット状態にして、このモジュールボックスを可動式トレイ上に装備するラックパネルが研究されている。
【０００６】
しかし、光コードが接続されるモジュールを可動式トレイの中央に設置して、その周囲の４方の空きスペースを光コードの布設スペースに利用するという従来の光コード接続技術を、モジュールボックスを搭載するラックパネルの場合に適用すると、実装効率の低下等の問題が生じた。
図５のラックパネル１は、その例を示したものである。
【０００７】
図５のラックパネル１は、図示せぬ収納ラック本体の前面側に引き出し可能な可動式トレイ２と、光コードと接続するモジュール（光通信用機器）４を収容して可動式トレイ２に取り付けられたモジュールボックス５とを備えた構成である。
【０００８】
モジュールボックス５は、モジュール４を収容する箱形の筐体で、可動式トレイ２の幅方向に離間した両側面５ａ，５ｂのそれぞれに、光コードを接続するコネクタアダプタ７を装備している。モジュールボックス５の一方の側面５ａのコネクタアダプタ７は、例えば、収納ラック本体の背部から可動式トレイ２に導入された入力側（局側）の光コードが接続される。また、他方の 側面５ｂのコネクタアダプタ７は、例えば、収納ラック本体の背部から可動式トレイ２に導入された出力側（加入者側）の光コードが接続される。
【０００９】
図示例のモジュール４は、光スプリッタ、光フィルタ等の光受動部品である。モジュール４は、その一端側が側面５ａのコネクタアダプタ７を介して入力側の光コードに接続されると共に、他端側が側面５ｂのコネクタアダプタ７を介して出力側の光コードに接続される。
【００１０】
従来の光コード接続技術では、図示のように、可動式トレイ２上でのモジュールボックス５の取り付け位置は、モジュールボックス５の両側方と後方のそれぞれに光コードの布設スペース１１ａ，１１ｂ，１１ｃが確保されるように、可動式トレイ２の幅方向の中央で前寄りの位置に設定される。
モジュールボックス５の一側面５ａ側の布設スペース１１ａは、収納ラック本体の背部から可動式トレイ２に導入された入力側（局側）の光コードを布設するために利用される。モジュールボックス５の他側面５ｂ側の布設スペース１１ｂは、収納ラック本体の背部から可動式トレイ２に導入された出力側（加入者側）の光コードを布設するために利用される。モジュールボックス５の背面側の布設スペース１１ｃは、収納ラック本体の背部から可動式トレイ２に導出入される各光コードに対して可動式トレイの引き出し操作のために付与するコード余長を収納するスペース（余長収納部）として利用される。
【００１１】
以上のラックパネル１の構成では、モジュールボックス５内には、モジュール４を許容曲げ半径以上の曲率で各コネクタアダプタ７に接続するためのボックス内布線スペース１３を、モジュールボックス５の両側面５ａ，５ｂに沿って、それぞれ確保しなければならない。
そのため、モジュールボックス５内幅寸法をＷ１，ボックス内布線スペース１３の幅をＷ２とすると、モジュール４を実装するために有効な幅Ｗは、Ｗ＝Ｗ１−２Ｗ２となって、大幅に減少してしまう。
その結果、モジュールボックス５を使用しないで、各モジュール４を直接可動式トレイ２上に分散配置する場合には、二列にモジュール４を配置できる場合でも、モジュールボックス５を使用した場合には、図示のように、一列にしかモジュール４を装備することができず、モジュール４の実装効率が低下するという問題が生じてしまう。
【００１２】
また、例えば、モジュールボックス５の他側面５ｂのコネクタアダプタ７に接続する出力側（加入者側）の光コードは、加入者線の追加や取り消し等のためにコネクタ接続の切り換え（抜き差し）の頻度が高い。ところが、上記のようなコネクタアダプタ７の配置では、可動式トレイ２を大きく前方に引き出さないと、奥のコネクタアダプタ７への抜き差しが行い難く、光コードの接続を切り換える際の作業性が悪いという問題もあった。また、可動式トレイ２の引き出し長を大きく確保するためには、コード余長を増大させると同時に、その増大させたコード余長を収容できる十分な大きさの布設スペース１１ｃをモジュールボックス５の背後に確保しなければならず、大きな余長収納部の確保のために、搭載するモジュールボックス５の大きさも制限されてしまうという問題も生じた。
【００１３】
本発明の目的は、モジュールを収容したモジュールボックスを可動式トレイに取り付ける形態でありながら、モジュールの実装効率を高くすることができ、また、光コードの接続を切り換える際の作業性にも優れたモジュール搭載型ラックパネルを提供することである。
【課題を解決するための手段】
【００１４】
上記目的を達成するために、本発明に係る請求項１記載のモジュール搭載型ラックパネルは、収納ラック本体の前面側に引き出し可能な可動式トレイと、前記可動式トレイに取り付けられ光コードと接続するモジュール（光通信用機器）を収容したモジュールボックスとを備えたモジュール搭載型ラックパネルであって、
前記モジュールボックスは、前面及び一側面にのみ前記光コードと接続する導出入用の複数個のコネクタアダプタを配備したことを特徴とする。
【００１５】
本発明に係る請求項２記載のモジュール搭載型ラックパネルは、請求項１に記載のモジュール搭載型ラックパネルにおいて、前記モジュールボックスの前面に配備されるコネクタアダプタ相互は光コードの接続切り換えが容易なように配列ピッチを大きく設定し、前記モジュールボックスの一側面に配備されるコネクタアダプタ相互は配列ピッチを前記モジュールボックスの前面側の配列ピッチよりも小さく設定したことを特徴とするとよい。
【００１６】
本発明に係る請求項３記載のモジュール搭載型ラックパネルは、請求項１又は２に記載のモジュール搭載型ラックパネルにおいて、前記モジュールボックスは、前記可動式トレイ上の前面側及び後面側及び一側面側の３方に光コードの布設スペースを確保するべく、他側面を前記可動式トレイの対応する側縁に寄せて、可動式トレイに取り付けたことを特徴とするとよい。
【００１７】
本発明に係る請求項４記載のモジュール搭載型ラックパネルは、請求項３に記載のモジュール搭載型ラックパネルにおいて、前記可動式トレイ上で、前記モジュールボックスの前面側に確保された光コードの布設スペースと前記モジュールボックスの一側面側に確保された光コードの布設スペースとが交差する一角のスペースを、前記モジュールボックスの前面のコネクタアダプタに接続する光コードのコード余長収納部としたことを特徴とするとよい。
【００１８】
本発明に係る請求項５記載のモジュール搭載型ラックパネルは、請求項３又は４に記載のモジュール搭載型ラックパネルにおいて、前記モジュールボックスに収容されるモジュールが、光スプリッタであることを特徴とするとよい。
【発明の効果】
【００１９】
本発明のモジュール搭載型ラックパネルによれば、モジュールボックスに装備するコネクタアダプタは、モジュールボックスの前面及び一側面にのみ配置しているため、モジュールボックスの内部に確保しなければならないボックス内布線スペースが、モジュールボックスの前面側及び一側面側だけで済み、モジュールボックス内のモジュールの実装に有効な幅Ｗ４及び長さＬ４を、対向する両側面にコネクタアダプタを装備する従来構造と比較して、大きくとることができる。
【００２０】
しかも、モジュールボックスを可動式トレイの一側に寄せて取り付けるため、モジュールボックスの外周に装備する光コードの布設スペースは、モジュールボックスの前後、及びモジュールボックスの一側面側のみで、可動式トレイの幅寸法に対して、取り付け可能なモジュールボックスの幅寸法自体の拡大も図れる。
即ち、モジュールボックス内部におけるボックス内布線スペースの削減と、モジュールボックスの幅寸法自体の拡大との相乗によって、モジュールボックス内におけるモジュールの実装に有効な幅を大幅に増大させることができ、モジュールを収容したモジュールボックスを可動式トレイに取り付ける形態でありながら、モジュールの実装効率を高くすることができる。
【発明を実施するための最良の形態】
【００２１】
以下、本発明に係るモジュール搭載型ラックパネルの好適な実施の形態について、図面を参照して詳細に説明する。
図１は本発明に係るモジュール搭載型ラックパネルを搭載した光接続箱の第１の実施の形態の斜視図である。
この光接続箱３１は、例えば、光通信の基地局等において加入者に接続される外部光ファイバ心線３３と局内の光通信用機器との接続等に使用されるもので、光通信用機器を収容するための複数個のユニット収容部３５ａ〜３５ｊが収納ラック本体３５内に設けられている。
【００２２】
また、本実施の形態に示す３個のユニット収容部３５ｈ，３５ｉ，３５ｊには、後述するモジュール（光通信用機器）４１やモジュールボックス４２等を収納ラック本体３５の前面側に所定長だけ引き出し可能にする可動式トレイ５１が装備されており、収納ラック本体３５の外部又は収納ラック本体３５内の他のユニット収容部からこの可動式トレイ５１上に出入りする光コード３７，３８及び外部光ファイバ心線３３には、各可動式トレイ５１の可動を許容する光コードの余長が付与されている。
【００２３】
モジュール４１（図２参照）やモジュールボックス４２に接続する光コード３７，３８の余長は、結束バンドによってＳ字形状又はＵ字形状を成すコード束にして、可動式トレイ５１上に用意される光コードの布設スペースに収容される。
なお、収納ラック本体３５内に、可動式トレイ５１上に導出入される光コード３７，３８の出入り口６３が設置されている。
【００２４】
可動式トレイ５１に搭載されるモジュール（光通信用機器）４１としては、例えば、光コード相互をコネクタ接続するコネクタモジュールや、光ファイバ相互を融着接続する融着ユニットや、通過心線の余長を収容する通過心線余長ユニットや、光ファイバをコイル状に巻回した光部品や、光コードを分岐接続する光スプリッタや光フィルタ等の光受動部品及びこれらを組み合わせて配置したものが挙げられる。
図１において、ユニット収容部３５ｉに組み付けられた可動式トレイ５１上のモジュール４１は、融着ユニットである。
【００２５】
モジュールボックス４２は、複数組のモジュール４１を収容して、可動式トレイ５１に取り付けられたものである。ここに、モジュールボックス４２と可動式トレイ５１とを組み合わせたものが、本明細書中で云うモジュール搭載型ラックパネル６５を形成する。
【００２６】
この第１の実施の形態の場合、モジュールボックス４２は、図２に示すように、４組のモジュール４１を収容する箱型の筐体で、前面４２ａ及び一側面４２ｂにのみ、光コード３７，３８とコネクタ接続する導出入用の複数個のコネクタアダプタ６７を配備している。
モジュールボックス４２の一側面４２ｂに装備したコネクタアダプタ６７は入力側（局側）の光コード３７の接続用で、前面４２ａに装備したコネクタアダプタ６７は出力側（加入者側）の光コード３８の接続用である。
【００２７】
このように、入力側の光コード３７を接続するコネクタアダプタ６７の装備位置と、出力側の光コード３８を接続するコネクタアダプタ６７の装備位置とを明確に区別した構成にすることで、光コード３７，３８の誤接続等の発生を防止でき、光コード３７，３８をモジュールボックス４２の各コネクタアダプタ６７に接続する際の作業性を向上させることができる。
【００２８】
図２に戻って、モジュールボックス４２の前面４２ａに配備されるコネクタアダプタ６７相互は、出力側の光コード３８の接続切り換えが容易なように、配列ピッチを大きく設定している。これに対して、モジュールボックス４２の一側面４２ｂに配備されるコネクタアダプタ６７相互は入力側の光コード３７の接続切り換えがないこと（或いは、接続切り換えの頻度が極めて低いこと）を前提として、配列ピッチをモジュールボックス４２の前面４２ａ側の配列ピッチよりも小さく設定している。
【００２９】
このように、予め接続切り換えの頻度が高くなることが予想される出力側の光コード３８用のコネクタアダプタ６７は、配列ピッチを大きく設定してモジュールボックス４２の前面４２ａに配置することで、可動式トレイ５１を大きく引き出さなくとも、出力側（加入者側）の光コード３８のコネクタ接続部を収納ラック本体３５の前面に露出させることができ、その結果、コネクタアダプタ６７へのアクセスが容易になり、接続切り換え作業時の作業性が向上する。
また、接続切り換えの頻度が低い入力側の光コード３７用のコネクタアダプタ６７は、配列ピッチを小さく設定したことで、モジュールボックス４２の一側面４２ｂ上での配列を高密度化し、モジュールボックス４２の側面の長さ寸法（即ち、奥行き寸法）を短縮して、モジュールボックス４２の小型化を図ることができる。
【００３０】
また、本実施の形態のモジュールボックス４２は、図３に示すように、可動式トレイ５１上の前面４２ａ側及び後面４２ｃ側及び一側面４２ｂ側の３方に光コード３７，３８の布設スペース６８ａ，６８ｂ，６８ｃを確保するべく、モジュールボックス４２の他側面を可動式トレイ５１の対応する側縁に略密着するように寄せて、可動式トレイ５１に取り付けている。
【００３１】
各布設スペース６８ａ，６８ｂ，６８ｃに布設される光コードは、図２に示すように、これらの各スペースに配置されるクランプ手段７３ａ，７３ｂ，７３ｃ，７３ｄによって、所定間隔で、可動式トレイ５１に固定される。
【００３２】
このようなモジュール搭載型ラックパネル６５では、モジュールボックス４２に装備するコネクタアダプタ６７を、モジュールボックス４２の前面４２ａ及び一側面４２ｂにのみ配置しているため、モジュールボックス４２の内部に確保しなければならないボックス内布線スペース７１ａ，７１ｂが、図３に示すように、モジュールボックス４２の前面４２ａ側及び一側面４２ｂ側だけで済み、モジュールボックス４２内の幅寸法Ｗ５及び長さ寸法Ｌ５に対して、モジュールボックス４２内のモジュール４１の実装に有効な幅Ｗ４及び長さＬ４を、対向する両側面にコネクタアダプタを装備する従来構造と比較して、大きくとることができる。
【００３３】
しかも、モジュールボックス４２を可動式トレイ５１の一側に寄せて取り付けているため、モジュールボックス４２の外周に装備する光コード３７，３８の布設スペース６８ａ，６８ｂ，６８ｃは、モジュールボックス４２の前後、及びモジュールボックス４２の一側面４２ｂ側のみで、可動式トレイ５１の幅寸法Ｗ６に対して、取り付け可能なモジュールボックス４２の幅寸法Ｗ５自体の拡大も図れる。
【００３４】
即ち、モジュールボックス４２内部におけるボックス内布線スペース７１ａ，７１ｂの削減と、モジュールボックス４２の幅寸法Ｗ５自体の拡大との相乗によって、モジュールボックス４２内におけるモジュール４１の実装に有効な幅Ｗ４を大幅に増大させることができ、モジュール４１を収容したモジュールボックス４２を可動式トレイ５１に取り付ける形態でありながら、本実施の形態のように複数組のモジュール４１を幅方向に二列に収容するなど、モジュールの実装効率を高くすることができる。
【００３５】
また、本実施の形態のように、モジュールボックス４２の前面４２ａに接続切り換えの頻度が高くなる出力側の光コード３８用のコネクタアダプタ６７を配置して、コネクタアダプタ６７へのアクセスが容易にできれば、可動式トレイ５１の引き出し長自体を低減して、可動式トレイ５１の引き出しに必要となるコード余長を短縮することで、モジュールボックス４２の背後に確保しなければならない余長収納部も縮減することができ、これによって、可動式トレイ５１に搭載するモジュールボックス４２を更に大型化するなど、モジュールの実装効率の向上に役立てることができる。
【００３６】
また、本実施の形態のモジュール搭載型ラックパネル６５では、図２に示すように、可動式トレイ５１上で、モジュールボックス４２の前面４２ａ側に確保された出力側の光コード３８用の布設スペース６８ａと、モジュールボックス４２の一側面４２ｂ側に確保された入力側の光コード３７用の布設スペース６８ｂとが交差する一角のスペース６９を、出力側の光コード３８の余長を所定の曲げ半径の巻回状態に収容するコード余長収納部としている。
【００３７】
これによって、通常は利用価値の低い角部のスペース６９が、コード余長収納部として有効に活用でき、モジュールボックス４２の背部の布設スペース６８ｃは、可動式トレイ５１の引き出しを許容するための光コード３７，３８の専用の収容部として利用が可能になり、余長部の収容処理等が容易になる。
【００３８】
なお、モジュールボックス４２にはモジュール（光通信用機器）として、例えば、図４に示すように、光コードを分岐接続する光スプリッタ４４を収容することもでき、更にその他の光通信用機器を収容した構成とすることも可能である。
【図面の簡単な説明】
【００３９】
【図１】本発明に係るモジュール搭載型ラックパネルを搭載した光接続箱の斜視図である。
【図２】図１に示したモジュール搭載型ラックパネルの平面図である。
【図３】図２におけるモジュールボックスのモジュールの実装に有効な寸法の説明図である。
【図４】モジュールが光スプリッタの場合の光接続構造の説明図である。
【図５】従来のラックパネルの平面図である。
【符号の説明】
【００４０】
３１  光接続箱
３３  外部光ファイバ心線
３５  収納ラック本体
３５ｈ  ユニット収容部
３７  入力側の光コード
３８  出力側の光コード
４１  モジュール（光通信用機器）
４２  モジュールボックス
４４  モジュール（光スプリッタ）
５１  可動式トレイ
６５  モジュール搭載型ラックパネル
６８ａ，６８ｂ，６８ｃ  布設スペース
６９  スペース（コード余長収納部）
７１ａ，７１ｂ  ボックス内布線スペース
【図１】
2005338618.tif 000003
【図２】
2005338618.tif 000004
【図３】
2005338618.tif 000005
【図４】
2005338618.tif 000006
【図５】
2005338618.tif 000007